(57)【要約】      （修正有）【課題】冷感剤を有し、着用者が冷感剤による冷たさを感じ易い吸収性物品を提供する。【解決手段】吸収性物品は、吸収コアと、トップシート２と、冷感剤８０と、を有する。トップシートには、吸収コアと厚さ方向Ｔに重なるコア領域においてトップシートを厚さ方向に貫通する開口５０が設けられ、開口の壁面５５に、冷感剤が存在する。【選択図】図４
0003227667.tif 000002
【実用新案登録請求の範囲】
【請求項１】
前後方向、前記前後方向に直交する幅方向、及び厚さ方向と、
吸収コアと、
前記吸収コアより肌面側に配置されており、着用者の肌に対向するトップシートと、
冷感剤と、を有する吸収性物品であって、
前記トップシートには、前記吸収コアと前記厚さ方向に重なるコア領域において前記トップシートを前記厚さ方向に貫通する開口が設けられ、
前記開口の壁面には、前記冷感剤が存在する、吸収性物品。
【請求項２】
前記トップシートは、フィルムにより構成されている請求項１に記載の吸収性物品。
【請求項３】
前記トップシートの非肌面側に前記冷感剤が存在する請求項１又は２に記載の吸収性物品。
【請求項４】
前記トップシートの非肌面において、前記開口の周囲の少なくとも一部を囲い且つ非肌面側へ突出する突出部を有し、
前記突出部は、前記厚さ方向において前記トップシートに隣接して配置される隣接シート又は前記吸収コアに接触する請求項３に記載の吸収性物品。
【請求項５】
前記吸収コアの曲げを誘導する曲げ誘導部を有し、
前記突出部は、前記開口に近い内端縁と前記開口から遠い外端縁とを有し、
前記曲げ誘導部の幅は、前記突出部の前記内端縁から前記突出部の前記外端縁までの前記突出部の幅よりも広い請求項４に記載の吸収性物品。
【請求項６】
前記トップシートの肌面には、前記冷感剤が存在する請求項１から５のいずれか１項に記載の吸収性物品。
【請求項７】
少なくとも前記トップシートが肌面側から前記厚さ方向に圧搾された圧搾部を有し、
前記圧搾部は、前記厚さ方向において前記開口と重なる請求項１から６のいずれか１項に記載の吸収性物品。
【請求項８】
前側域と、後側域と、前記前後方向において前記前側域と前記後側域との間に配置される中央域と、を有し、
前記開口は、前記中央域に設けられており、
前記中央域において、前記吸収コアの曲げを誘導する曲げ誘導部を有する請求項１から７のいずれか１項に記載の吸収性物品。
【請求項９】
前記曲げ誘導部は、前記吸収コアの一部が非肌面側から肌面側へ向かって凹む請求項８に記載の吸収性物品。
【請求項１０】
前側域と、後側域と、前記前後方向において前記前側域と前記後側域との間に配置される中央域と、
前記厚さ方向において前記トップシートと前記吸収コアとの間に配置される中間シートと、を有し、
前記トップシートの非肌面側に前記冷感剤が存在し、
前記中央域において、前記中間シートには、前記中間シートを前記厚さ方向に貫通しかつ６００ｍｍ2以上の面積を有する中間開口が設けられ、
前記開口は、前記厚さ方向において前記中間開口と重ならない領域に設けられる請求項１から９のいずれか１項に記載の吸収性物品。
【請求項１１】
前記トップシートの非肌面側に前記冷感剤が存在し、
前記トップシートには、前記開口が複数設けられ、
前記複数の開口のそれぞれの最小幅は、５０マイクロメートル以上であり、
前記複数の開口のそれぞれの最大幅は、８００マイクロメートル以下である請求項１から１０のいずれか１項に記載の吸収性物品。
【請求項１２】
前記トップシートには、前記開口が複数設けられ、
単位面積当たりの前記開口が占める面積の割合は、３０％以上である請求項１から１１のいずれか１項に記載の吸収性物品。
【請求項１３】
前記吸収コアの非肌面側に配置され、着用物品に対向するバックシートを有し、
前記吸収性物品が前記幅方向に延びる２以上の折り目により折り畳まれている状態において、前記バックシートは、前記開口を覆っている請求項１から１２のいずれか１項に記載の吸収性物品。
【考案の詳細な説明】
【技術分野】
【０００１】
本考案は、冷感剤を有する吸収性物品に関する。
【背景技術】
【０００２】
特許文献１には、冷感剤を有する吸収性物品が開示されている。冷感剤には、例えば、皮膚の神経にある受容体活性化チャネルに作用するものや、気化熱により周囲の温度を下げるものがある。着用者が吸収性物品を着用することで、このような冷感剤を、着用者の肌に触れさせることができる。これにより、着用者は、冷たさを感じることができる。
【先行技術文献】
【特許文献】
【０００３】
【特許文献１】特開２０１９−８４１４１号公報
【考案の概要】
【考案が解決しようとする課題】
【０００４】
しかしながら、吸収性物品が冷感剤を有していても、着用者が冷感剤による冷たさを十分に感じ難いことがあり、更なる改善が求められていた。
【０００５】
そこで、本考案は、上述した課題を解決するためになされたものであり、冷感剤を有する吸収性であって、着用者が冷感剤による冷たさを感じ易い吸収性物品を提供することを目的とする。
【０００６】
一態様に係る吸収性物品は、前後方向、前記前後方向に直交する幅方向、及び厚さ方向と、吸収コアと、前記吸収コアより肌面側に配置されており、着用者の肌に対向するトップシートと、冷感剤と、を有する。前記トップシートには、前記吸収コアと前記厚さ方向に重なるコア領域において前記トップシートを前記厚さ方向に貫通する開口が設けられる。前記開口の壁面には、前記冷感剤が存在する。
【図面の簡単な説明】
【０００７】
【図１】図１は、実施形態に係る吸収性物品を肌面側から見た模式的な平面図である。
【図２】図２は、実施形態に係る吸収性物品を非肌面側から見た模式的な平面図である。
【図３】図３は、図１中のＦ４Ｂ−Ｆ４Ｂ線における吸収性物品の模式的な断面図である。
【図４】図４Ａは、実施形態に係るトップシートの模式平面図であり、図４Ｂは、図１中のＦ４Ｂ−Ｆ４Ｂ線におけるトップシートの模式的な断面図である。
【図５】図５は、図１中のＦ５−Ｆ５線における吸収性物品の肌面側の状態を示す模式的な拡大断面図である。
【図６】図６は、実施形態に係る使用前の吸収性物品を肌面側から見た模式的な平面図である。
【考案を実施するための形態】
【０００８】
（１）実施形態の概要
一態様に係る吸収性物品は、前後方向、前記前後方向に直交する幅方向、及び厚さ方向と、吸収コアと、前記吸収コアより肌面側に配置されており、着用者の肌に対向するトップシートと、冷感剤と、を有する。前記トップシートには、前記吸収コアと前記厚さ方向に重なるコア領域において前記トップシートを前記厚さ方向に貫通する開口が設けられる。前記開口の壁面には、前記冷感剤が存在する。
【０００９】
着用者の動き（例えば、立位姿勢から座位姿勢への移行）によって、トップシートが着用者の肌に押しつけられることで、着用者の肌が、開口の壁面に存在する冷感剤に直接接触し易くなる。また、壁面に存在する冷感剤は、トップシートの肌面側へ移動し易いため、着用者の肌に冷感剤が接触し易い。さらに、開口が設けられているコア領域は、着用者の肌の敏感な部分に当たり易いため、冷感剤が敏感な部分に接触し易い。以上により、着用者が冷たさを感じ易くできる。
【００１０】
好ましい態様によれば、前記トップシートは、フィルムにより構成されてよい。冷感剤がフィルムにより構成されたトップシートを通り抜け難いものの、冷感剤が開口を通じてトップシートの肌面側へ移動できるため、一般的に冷感効果を感じ難いフィルムにより構成されたトップシートを吸収性物品が有していても、着用者が冷感剤による冷たさを感じ易くできる。
【００１１】
好ましい態様によれば、前記トップシートのも非肌面側に前記冷感剤が存在してよい。冷感剤がトップシートを通り抜け難いため、吸収性物品の装着後の早い段階で冷感剤が吸収性物品から消えていくことを抑制できる。これにより、着用者が冷たさを感じる時間を持続し易くできる。
【００１２】
好ましい態様によれば、前記吸収性物品は、前記トップシートの非肌面において、前記開口の周囲の少なくとも一部を囲い且つ非肌面側へ突出する突出部を有してよい。前記突出部は、前記厚さ方向において前記トップシートに隣接して配置される隣接シート又は前記吸収コアに接触してよい。これにより、冷感剤が、トップシートと隣接シート又は吸収コアとの間の隙間を通じて開口へ到達し難くなる。吸収性物品の装着後の早い段階で冷感剤が吸収性物品から消えていくことを抑制できる。これにより、着用者が冷たさを感じる時間を持続し易くできる。
【００１３】
好ましい態様によれば、前記吸収性物品は、前記吸収コアの曲げを誘導する曲げ誘導部を有してよい。前記突出部は、前記開口に近い内端縁と前記開口から遠い外端縁とを有してよい。前記曲げ誘導部の幅は、前記突出部の前記内端縁から前記突出部の前記外端縁までの前記突出部の幅よりも広くてよい。突出部は、非肌面側へ突出しているため、突出部が配置されている部分は、トップシートの他の部分に比べて、剛性が高い。ここで、曲げ誘導部の幅が突出部の幅よりも広いため、曲げ誘導部が突出部と重なっていたとしても、曲げ誘導部を横断するように突出部が設けられない。従って、トップシートが曲がり易くなり、開口が着用者の排泄口又は排泄口付近により接触し易くでき、着用者が冷たさを感じ易くできる。
【００１４】
好ましい態様によれば、前記トップシートの肌面には、前記冷感剤が存在してよい。これにより、着用者の肌がトップシートの肌面に接触することで、着用者が冷たさを感じることができる。
【００１５】
好ましい態様によれば、前記吸収性物品は、少なくとも前記トップシートが肌面側から前記厚さ方向に圧搾された圧搾部を有してよい。前記圧搾部は、前記厚さ方向において前記開口と重なってよい。圧搾部では、トップシートの肌面が周囲よりも非肌面側へ凹んでいるため、吸収性物品の装着後すぐには、開口の壁面に存在する冷感剤が着用者の肌に当たり難く、着用者の動きにより、吸収性物品が変形した際に、冷感剤が着用者の肌に当たり易くできる。これにより、着用者が、比較的長い時間冷たさを感じ易くできる。
【００１６】
好ましい態様によれば、前記吸収性物品は、前側域と、後側域と、前記前後方向において前記前側域と前記後側域との間に配置される中央域と、を有してよい。前記開口は、前記中央域に設けられてよい。前記吸収性物品は、前記中央域において、前記吸収コアの曲げを誘導する曲げ誘導部を有してよい。中央域は、着用者の排泄口に当接する領域を有するため、曲げ誘導部によって吸収コアが曲がり易くなり、開口が着用者の排泄口又は排泄口付近に接触し易くなる。排泄口及び排泄口付近の着用者の肌は、敏感であるため、着用者が冷たさを感じ易くできる。
【００１７】
好ましい態様によれば、前記曲げ誘導部は、前記吸収コアの一部が非肌面側から肌面側へ向かって凹んでよい。これにより、吸収コアが曲げ誘導部を起点として肌面側へ凸状に曲がり易くできる。これにより、開口が着用者の排泄口又は排泄口付近により接触し易くでき、着用者が冷たさを感じ易くできる。
【００１８】
好ましい態様によれば、前記吸収性物品は、前側域と、後側域と、前記前後方向において前記前側域と前記後側域との間に配置される中央域と、前記厚さ方向において前記トップシートと前記吸収コアとの間に配置される中間シートと、を有してよい。前記トップシートの非肌面側に前記冷感剤が存在してよい。前記中央域において、前記中間シートには、前記中間シートを前記厚さ方向に貫通しかつ６００ｍｍ2以上の面積を有する中間開口が設けられてよい。前記開口は、前記厚さ方向において前記中間開口と重ならない領域に設けられる。これにより、排泄物が排出された場合、中間シートの中間開口に排泄物が溜まりやすい。一方で、開口は、中間開口と重ならない領域に存在するため、冷感剤が、中間開口に溜まった排泄物に阻害されずに開口から移動し易くできる。これにより、排泄後においても、着用者が冷たさを感じ易くできる。
【００１９】
好ましい態様によれば、前記トップシートの非肌面側に前記冷感剤が存在してよい。前記トップシートには、前記開口が複数設けられてよい。前記複数の開口のそれぞれの最小幅は、５０マイクロメートル以上であってよい。前記複数の開口のそれぞれの最大幅は、８００マイクロメートル以下であってよい。開口の最小幅が、５０マイクロメートル以上であるため、冷感剤がトップシートの肌面側へ移動し易くなり、着用者が冷たさを感じ易くできる。開口の最大幅が、８００マイクロメートル以下であるため、使用後に、冷感剤がトップシートの肌面側へ一気に移動し難くなり、着用者が冷たさを感じる時間を持続し易くできる。
【００２０】
好ましい態様によれば、前記トップシートには、前記開口が複数設けられてよい。単位面積当たりの前記開口が占める面積の割合は、３０％以上であってよい。これにより、トップシートが着用者の肌に押しつけられた場合に、着用者の肌が、開口の壁面に存在する冷感剤に直接接触し易くなり、着用者が冷たさを感じ易くできる。
【００２１】
好ましい態様によれば、前記吸収性物品は、前記吸収コアの非肌面側に配置され、着用物品に対向するバックシートを有してよい。前記吸収性物品が前記幅方向に延びる２以上の折り目により折り畳まれている状態において、前記バックシートは、前記開口を覆ってよい。折り畳まれている状態では、開口の壁面に存在する冷感剤がトップシートの肌面側へ移動することをバックシートにより阻害される。これにより、吸収性物品の使用前に冷感効果が低減することを抑制でき、着用者が冷たさを感じ易くできる。
【００２２】
（２）吸収性物品の概略構成
以下、吸収性物品１の概略構成について、図１から図６を用いて説明する。なお、図３では、図１の包装シートは省略されている。図３において、各方向についての寸法は必ずしも正確ではない。さらに、便宜上、図４及び図５において、構成部材どうしを接合する接着剤ＨＭＡは省略されている。また、図４において冷感剤８０により構成される層を図示しているが、電子顕微鏡などの機器を用いない限り、冷感剤８０により構成される層は視認できなくてよい。
【００２３】
実施形態に係る吸収性物品として生理用ナプキンを例に挙げて実施形態を説明するが、生理用ナプキンに限らず、パンティーライナー、又は軽失禁用パッド等のように、吸収性物品であればよい。吸収性物品は、使用者の着用物品に固定して使用するものであってよい。
【００２４】
図１に示すように、吸収性物品１は、前後方向Ｌ及び前後方向に直交する幅方向Ｗを有する。前後方向Ｌは、身体前側と身体後側とに延びる方向によって規定される。言い換えると、前後方向Ｌは、展開された吸収性物品１において前後に延びる方向である。また、吸収性物品１は、前後方向Ｌと幅方向Ｗの両方の直交する厚さ方向Ｔを有する。吸収性物品１の前後方向Ｌにおいて、着用者の下腹部に当接する側を「前側」といい、着用者の臀部に当接する側を「後側」という。また、吸収性物品１の厚さ方向Ｔにおいて、着用者の肌に当接する側を「肌面側」Ｔ１といい、その反対側（着用者の肌とは反対に向けられる側）を「非肌面側」Ｔ２という。
【００２５】
吸収性物品１は、前側域Ｓ１と、後側域Ｓ２と、中央域Ｓ３とを有する。中央域Ｓ３は、前側域Ｓ１と後側域Ｓ２との間に配置される。中央域Ｓ３は、一対のウイング１Ｗが配置されている領域であってよい。従って、中央域Ｓ３は、吸収性物品１を着用物品へ留めるウイング１Ｗが設けられる領域であってよい。吸収性物品１が、ウイング１Ｗを有さない場合、吸収性物品１を前後方向Ｌに３等分した場合の中央の領域であってよい。また、中央域Ｓ３は、着用者の排泄口（例えば膣口）に当接する排泄口当接部を有してよい。吸収性物品１が着用物品（例えば、下着）に装着されたときに、中央域Ｓ３は、着用物品の股下部に位置してよい。従って、中央域Ｓ３は、着用者の股下、すなわち着用者の両足（太もも）の間に配置される領域である。前側域Ｓ１は、中央域Ｓ３よりも前側に位置する。後側域Ｓ２は、中央域Ｓ３よりも後側に位置する。
【００２６】
吸収性物品１は、一対のウイング１Ｗを有している。一対のウイング１Ｗは、幅方向Ｗにおける吸収体１０（吸収コア１１）の外側縁よりも幅方向の外側に延出している。一対のウイング１Ｗは、吸収性物品１が使用される際に折り返し可能である。
【００２７】
吸収性物品１は、トップシート２、セカンドシート３、吸収体１０、バックシート４、及びサイドシート５を有している。図３に示すように、厚さ方向Ｔにおいて、トップシート２、セカンドシート３、吸収体１０、サイドシート５及びバックシート４が積層されている。トップシート２、セカンドシート３、吸収体１０、バックシート４及びサイドシート５は、接合部によって接合固定されている。接合部として、ホットメルト接着剤等の接着剤ＨＭＡを用いることができる。接合部として、他の部材（例えば、ソニックシールなど）が用いられてもよい。
【００２８】
図３に示すように、トップシート２は、吸収コア１１より肌面側Ｔ１に配置されており、着用者の肌に対向する。トップシート２は、液体を透過する構造を有する任意のシート状の材料から構成されてよい。トップシート２は、例えば、疎水性の熱可塑性の合成樹脂フィルムなどのフィルムにより構成されてよい。具体的には、トップシート２は、例えば、ポリエチレン（ＰＥ）やポリプロピレン（ＰＰ）のシート部材であってよい。なお、トップシート２は、不織布、織布、有孔プラスチックシート、メッシュシート、疎水性の樹脂シート等により構成されてもよい。
【００２９】
トップシート２には、吸収コア１１と厚さ方向Ｔに重なるコア領域ＣＲにおいてトップシート２を厚さ方向Ｔに貫通する開口５０が設けられる。開口５０は、トップシート２により構成される壁面５５に囲まれてることで構成される空間である。トップシート２には、開口５０が複数設けられてよい。また、開口５０は、中央域Ｓ３に設けられてよい。また、開口５０は、前側域Ｓ１及び後側域Ｓ２の少なくとも一方に設けられてよい。開口５０は、コア領域ＣＲ以外の領域に設けられてよい。複数の開口５０のそれぞれの最小幅は、５０マイクロメートル以上であってよい。開口５０のそれぞれの最大幅は、８００マイクロメートル以下であってよい。単位面積当たりの開口５０が占める面積の割合は、３０％以上であってよい。
【００３０】
開口５０は、第１開口５１と第２開口５２との少なくともいずれかにより構成されてよい。第１開口５１は、トップシート２のみに設けられる開口である。従って、本実施形態では、第１開口５１は、セカンドシート３に面する。第１開口５１の幅Ｗ１は、例えば、５０マイクロメートル以上、かつ４００マイクロメートル以下であってよい。或いは、第１開口５１の幅Ｗ１は、例えば、２５０マイクロメートル以上、かつ５００マイクロメートル以下であってよい。或いは、第１開口５１の幅Ｗ１は、例えば、５００マイクロメートル以上、かつ８００マイクロメートル以下であってよい。第２開口５２は、トップシート２及びトップシート２以外の構成部材が圧搾されることで設けられる開口である。実施形態では、第２開口５２は、トップシート２、セカンドシート３及び吸収体１０が圧搾されることで設けられる。第２開口５２は、コア領域ＣＲにのみ設けられてよい。第１開口５１は、コア領域ＣＲに加えて、コア領域ＣＲ以外の領域（すなわち、吸収コア１１と厚さ方向Ｔに重ならない領域）に設けられてよい。
【００３１】
セカンドシート３は、厚さ方向Ｔにおいてトップシート２と吸収コア１１との間に配置された「中間シート」である。また、セカンドシート３は、厚さ方向Ｔにおいてトップシート２に隣接して配置される「隣接シート」である。セカンドシート３は、液透過性のシート部材であり、エアスルー不織布、スパンボンド不織布等を例示できる。本実施形態では、トップシート２とセカンドシート３は、接着剤ＨＭＡによって接着された一体の状態で、吸収体１０を幅方向Ｗの端部を包むように巻き込んでいる。バックシート４は、吸収コア１１よりも非肌面側Ｔ２に配置され、着用物品に対向する。バックシート４は、液不透過性のシート部材であり、ポリエチレン（ＰＥ）の樹脂フィルム等を例示できる。サイドシート５は、疎水性のシート部材であり、エアスルー不織布、スパンボンド不織布等を例示できる。
【００３２】
吸収性物品１の非肌側面（つまり、バックシート４の非肌側面）には、接着剤が塗布される等した中央粘着部８が設けられてよい。中央粘着部８が吸収性物品１の使用時に下着等の着用物品の肌側面に貼り付けられることで、吸収性物品１は下着等に固定される。同様に、各ウイング１Ｗの厚さ方向Ｔの非肌側面（バックシート４の非肌面側Ｔ２）には、ウイング粘着部９が設けられている。吸収性物品１の使用時にウイング１Ｗは非肌側に折り曲げられ、ウイング粘着部９は、下着等の非肌側面に張り付けられる。これにより、ウイング１Ｗは下着等に固定される。
【００３３】
吸収体１０は、排泄物を吸収して内部に保持する部材である。本実施形態では、図３に示すように、吸収体１０は、吸収コア１１と、吸収性ポリマーシート１２と、カバーシート１３と、を有している。吸収体１０では、肌面側Ｔ１に吸収コア１１が配置され、非肌面側Ｔ２に吸収性ポリマーシート１２が配置されている。吸収コア１１は、液体吸収性繊維を所定の形状に成形した集合体により構成されている。集合体の液体吸収性繊維としては、パルプ繊維やセルロース系吸収性繊維等を例示することができる。吸収性ポリマーシート１２は、液体吸収性粒状物である高吸収性ポリマー１２１（所謂ＳＡＰ）等を肌側面及び非肌側面からそれぞれティッシュ等の液体透過性シート１２２で挟んだシート状の部材であってよい。カバーシート１３は、集合体の非肌側に配置されている。カバーシート１３は、液透過性のシート部材であり、エアスルー不織布、スパンボンド不織布等を例示できる。吸収コア１１は、カバーシート１３に、ホットメルト等の接着剤で固定されている。
【００３４】
図４Ｂに示すように、吸収性物品１は、トップシート２の非肌面において、第１開口５１の周囲の少なくとも一部を囲い且つ非肌面側Ｔ２へ突出する突出部５６を有してよい。突出部５６は、第１開口５１に近い内端縁５６Ａと、第１開口５１から遠い外端縁５６Ｂとを有してよい。突出部５６の幅ＷＰは、突出部５６の内端縁５６Ａから突出部５６の外端縁５６Ｂまでの長さである。突出部５６は、本実施形態の隣接シートであるセカンドシート３又は吸収コア１１に接触してよい。
【００３５】
突出部５６の高さＨは、トップシート２の厚さより大きくてよい。例えば、トップシート２の厚さが１５〜３０マイクロメートルである場合、突出部５６の高さＨは、２００から８００マイクロメートルであってよい。突出部５６の高さＨが、トップシート２の厚さの５倍以上であるため、突出部５６をトップシート２よりも非肌側に配置される隣接シート（セカンドシート３）又は隣接シートが存在しない場合には吸収コア１１に確実に接触させることができる。これにより、トップシート２と隣接シート（又は吸収コア１１）との間に隙間があったとしても、冷感剤が急激に第１開口５１を通じて急激に移動することを第１開口５１の周囲を囲む突出部５６によってブロックできる。これにより、着用者が、比較的長い時間冷たさを感じ易くできる。なお、突出部５６の高さＨは、トップシート２の非肌面２Ｂから突出部５６の非肌面側Ｔ２の端部までの長さである。突出部５６の高さＨは、トップシート２の肌面２Ａから突出部５６の非肌面側Ｔ２の端部までの長さからトップシート２の厚さを引くことにより求められてよい。
【００３６】
図１に示すように、吸収性物品１は、吸収コア１１の曲げを誘導する曲げ誘導部７０を有してよい。曲げ誘導部７０は、コア領域ＣＲに設けられる。曲げ誘導部７０は、中央域Ｓ３に設けられてよいし、前側域Ｓ１及び後側域Ｓ２の少なくとも一方に設けられてよい。
【００３７】
曲げ誘導部７０は、少なくとも吸収コア１１が厚さ方向Ｔにおいて圧搾されることにより設けられた圧搾部により構成されてよい。曲げ誘導部７０は、厚さ方向Ｔにおいてトップシート２及び吸収コア１１が肌面側Ｔ１から圧搾されることにより構成されてよい。これにより、図５に示すように、曲げ誘導部７０は、吸収コア１１の一部が肌面側Ｔ１から非肌面側Ｔ２へ向かって凹んでいてよい。また、曲げ誘導部７０は、厚さ方向Ｔにおいてトップシート２及び吸収コア１１が非肌面側Ｔ２から圧搾されることにより構成されてよい。これにより、曲げ誘導部７０は、吸収コア１１の一部が非肌面側Ｔ２から肌面側Ｔ１へ向かって凹んでいてよい。
【００３８】
曲げ誘導部７０の幅ＷＢは、突出部５６の幅ＷＰよりも広くてよい。また、曲げ誘導部７０の幅ＷＢは、所定の第１開口５１の周囲に配置された突出部５６の一方の外端縁５６Ｂから他方の外端縁５６Ｂまでの最大長さＷＱよりも広くてよい。なお、所定の第１開口５１は、一方の外端縁５６Ｂと他方の外端縁５６Ｂとに挟まれている。
【００３９】
吸収性物品１は、少なくともトップシート２が肌面側Ｔ１から厚さ方向Ｔに圧搾された圧搾部７５を有してよい。圧搾部７５は、トップシート２と共に吸収コア１１が圧搾されることで、曲げ誘導部７０を構成してよい。圧搾部７５は、厚さ方向Ｔにおいて開口５０と重なってよい。圧搾部７５は、厚さ方向Ｔにおいて、第２開口５２と重なってよいし、第１開口５１と重なってよい。
【００４０】
吸収性物品１は、冷感剤８０を有する。冷感剤８０は、例えば、皮膚の神経にある受容体活性化チャネル（ＴＲＰＭ８）に作用するものであってよい。このような冷感剤８０として、例えば、メントール（例えば、ｌ−メントール）及びその誘導体（例えば、乳酸メンチル）、サリチル酸メチル、カンファー、キュウリエキス、植物（例えば、ミント、ユーカリ、ナツメグ）由来の精油等が挙げられる。また、冷感剤は、気化熱により周囲の温度を下げるものであってもよい。このような冷感剤として、例えば、アルコール、例えば、メタノール及びエタノールが挙げられる。これらの１種を単独で又は２種以上を組み合わせて用いることができる。
【００４１】
図４Ｂに示すように、開口５０の壁面５５には、冷感剤８０が存在する。冷感剤８０は、トップシート２の肌面２Ａ上に存在してよい。また、トップシート２の非肌面側Ｔ２に冷感剤８０が存在してよい。この場合、冷感剤８０は、トップシート２の非肌面２Ｂ上に存在してもよいし、トップシート２以外の構成部材の表面又は内部に存在してもよい。例えば、開口５０を含む領域においてトップシート２の肌面２Ａ又は非肌面２Ｂ上に冷感剤８０を塗布することで、開口５０の壁面５５に冷感剤８０を存在させてよい。また、冷感剤８０が開口５０に入り込むように、冷感剤８０をトップシート２に冷感剤８０を塗布することで、開口５０の壁面５５に冷感剤８０が存在させてよい。なお、トップシート２以外の構成部材に、冷感剤８０を塗布してもよい。開口５０の壁面５５に冷感剤８０が測定するための方法として、例えば、以下の測定方法を用いることができる。
【００４２】
第１の方法では、測定対象となる吸収性物品１からトップシート２を取り外す。取り外したトップシート２に設けられた開口５０に、アルコールに浸された糸を通す。開口５０の壁面５５に糸を接触させた状態で、糸を壁面５５に擦りつけるように壁面５５に沿って移動させる。壁面５５に接触させた部分を含む糸を適切な容量（例えば、５０ｍｌ）の容器（例えば、ヘッドスペースバイアル）に入れて、当該容器を密閉する。吸収性物品１から冷感剤８０が逃げないように、吸収性物品１の包装を開封してから上記工程までを例えば、１０分以内に行うことが好ましい。次に、所定時間（例えば、２４時間）経過した後に、ＳＰＭＥ（Ｓｏｌｉｄ  Ｐｈａｓｅ  Ｍｉｃｒｏ  Ｅｘｔｒａｃｔｉｏｎ）法により、ガスクロマトグラフ装置（ＧＣ−ＭＳ）を用いて、容器中の成分を測定する。測定により得られたピーク値に対応する化合物を吸収性物品１に含まれていた成分として特定する。特定された成分が、冷感効果を有する化合物（例えば、上述した化合物）である場合、冷感剤８０が壁面５５に存在すると判定することができる。
【００４３】
第２の方法では、第１の方法と同様に、測定対象となる吸収性物品１からトップシート２を取り外す。取り外したトップシート２から開口５０を含む領域を切り出す。切り出したサンプルに対してＦＴ−ＩＲ（Fourier Transform Infrared Spectroscopy）イメージング装置を用いて、開口５０の壁面５５に冷感効果を有する化合物が存在するか否かを測定できる。
【００４４】
図６に示すように、吸収性物品１は、幅方向Ｗに延びる２以上の折り目ＦＬにより折り畳まれてよい。実施形態では、折り目ＦＬは、第１折り目ＦＬ１及び第２折り目ＦＬ２により構成される。吸収性物品１は、第１折り目ＦＬ１を基点として折り畳まれた後に、第２折り目ＦＬ２を基点として折り畳まれてよい。これにより、吸収性物品１の包装体２００が形成されてよい。包装体２００は、吸収性物品１と吸収性物品１を個別に包装する包装シート１００を有してよい。
【００４５】
吸収性物品１が２以上の折り目ＦＬにより折り畳まれている状態において、バックシート４は、開口５０を覆ってよい。具体的には、第２折り目ＦＬ２を起点に吸収性物品１が折り畳まれることで、開口５０（例えば、第１開口５１）が設けられたトップシート２の肌面２Ａが、バックシート４の非肌面に接触してよい。図６Ｂには、トップシート２の肌面２Ａとバックシートの非肌面とが厚さ方向Ｔに重なる重複領域ＯＲ１が示されている。重複領域ＯＲ１において、バックシート４は、開口５０を覆う。また、同様に、包装シート１００は、開口５０を覆ってよい。具体的には、第２折り目ＦＬ２を起点に吸収性物品１が折り畳まれることで、開口５０（例えば、第１開口５１）が設けられたトップシート２の肌面２Ａが、包装シート１００に接触してよい。図６Ｂには、トップシート２の肌面２Ａと包装シート１００とが厚さ方向Ｔに重なる重複領域ＯＲ２が示されている。重複領域ＯＲ２において、包装シート１００は、開口５０を覆う。
【００４６】
以上のように、実施形態では、開口５０の壁面５５には、冷感剤８０が存在する。着用者の動き（例えば、立位姿勢から座位姿勢への移行）によって、トップシート２が着用者の肌に押しつけられることで、着用者の肌が、開口５０の壁面５５に存在する冷感剤８０に直接接触し易くなる。また、壁面５５に存在する冷感剤８０は、トップシート２の肌面側Ｔ１へ移動し易いため、着用者の肌に冷感剤８０が接触し易い。さらに、開口５０が設けられているコア領域ＣＲは、着用者の肌の敏感な部分に当たり易いため、冷感剤８０が敏感な部分に接触し易い。以上により、着用者が冷たさを感じ易くできる。
【００４７】
また、トップシート２は、フィルムにより構成されてよい。冷感剤８０がフィルムにより構成されたトップシート２を通り抜け難いものの、冷感剤８０が開口５０を通じてトップシート２の肌面側Ｔ１へ移動できるため、一般的に冷感効果を感じ難いフィルムにより構成されたトップシート２を吸収性物品１が有していても、着用者が冷感剤８０による冷たさを感じ易くできる。
【００４８】
また、トップシート２の非肌面側Ｔ２に冷感剤８０が存在してよい。冷感剤８０がトップシート２を通り抜け難いため、吸収性物品１の装着後の早い段階で冷感剤８０が吸収性物品１から消えていくことを抑制できる。これにより、着用者が冷たさを感じる時間を持続し易くできる。特に、トップシート２がフィルムにより構成されている場合、開口５０以外の領域では、冷感剤８０がトップシート２を通り抜け難い。従って、開口５０が同一であれば、トップシート２が例えば不織布で構成されている場合と比較して、着用者が冷たさを感じる時間を持続し易くできる。
【００４９】
また、突出部５６は、厚さ方向Ｔにおいてトップシート２に隣接して配置される隣接シート又は吸収コア１１に接触してよい。これにより、冷感剤８０が、トップシート２と隣接シート又は吸収コア１１との間の隙間を通じて開口５０へ到達し難くなる。吸収性物品１の装着後の早い段階で冷感剤８０が吸収性物品１から消えていくことを抑制できる。これにより、着用者が冷たさを感じる時間を持続し易くできる。
【００５０】
また、曲げ誘導部７０の幅ＷＢは、突出部５６の幅ＷＰよりも広くてよい。突出部５６は、非肌面側Ｔ２へ突出しているため、突出部５６が配置されている部分は、トップシート２の他の部分（平坦な部分）に比べて、剛性が高い。ここで、曲げ誘導部７０の幅ＷＢが突出部５６の幅ＷＰよりも広い場合、曲げ誘導部７０が突出部５６と重なっていたとしても、曲げ誘導部７０を横断するように突出部５６が設けられない。従って、トップシート２が曲がり易くなり、開口５０が着用者の排泄口又は排泄口付近により接触し易くでき、着用者が冷たさを感じ易くできる。
【００５１】
また、トップシート２の肌面２Ａには、冷感剤８０が存在してよい。これにより、着用者の肌がトップシート２の肌面２Ａに接触することで、着用者が冷たさを感じることができる。
【００５２】
また、圧搾部７５は、厚さ方向Ｔにおいて開口５０と重なってよい。圧搾部７５では、トップシート２の肌面２Ａが周囲よりも非肌面側Ｔ２へ凹んでいるため、吸収性物品１の装着後すぐには、開口５０の壁面５５に存在する冷感剤８０が着用者の肌に当たり難く、着用者の動きにより、吸収性物品１が変形した際に、冷感剤８０が着用者の肌に当たり易くできる。これにより、着用者が、比較的長い時間冷たさを感じ易くできる。
【００５３】
また、吸収性物品１は、中央域Ｓ３において、吸収コア１１の曲げを誘導する曲げ誘導部７０を有してよい。中央域Ｓ３は、着用者の排泄口に当接する領域を有するため、曲げ誘導部７０によって吸収コア１１が曲がり易くなり、開口５０が着用者の排泄口又は排泄口付近に接触し易くなる。排泄口及び排泄口付近の着用者の肌は、敏感であるため、着用者が冷たさを感じ易くできる。
【００５４】
また、曲げ誘導部７０は、吸収コア１１の一部が非肌面側Ｔ２から肌面側Ｔ１へ向かって凹んでよい。これにより、吸収コア１１が曲げ誘導部７０を起点として肌面側Ｔ１へ凸状に曲がり易くできる。これにより、開口５０が着用者の排泄口又は排泄口付近により接触し易くでき、着用者が冷たさを感じ易くできる。
【００５５】
また、トップシート２の非肌面側Ｔ２に冷感剤８０が存在し、複数の開口５０のそれぞれの最小幅は、５０マイクロメートル以上であり、複数の開口５０のそれぞれの最大幅は、８００マイクロメートル以下であってよい。開口５０の最小幅が、５０マイクロメートル以上であるため、冷感剤８０がトップシート２の肌面側Ｔ１へ移動し易くなり、着用者が冷たさを感じ易くできる。開口５０の最大幅が、８００マイクロメートル以下であるため、使用後に、冷感剤８０がトップシート２の肌面側Ｔ１へ一気に移動し難くなり、着用者が冷たさを感じる時間を持続し易くできる。
【００５６】
また、単位面積当たりの開口５０が占める面積の割合は、３０％以上であってよい。これにより、トップシート２が着用者の肌に押しつけられた場合に、着用者の肌が、開口５０の壁面５５に存在する冷感剤８０に直接接触し易くなり、着用者が冷たさを感じ易くできる。
【００５７】
また、吸収性物品１が幅方向Ｗに延びる２以上の折り目ＦＬにより折り畳まれている状態において、バックシート４は、開口５０を覆ってよい。折り畳まれている状態では、開口５０の壁面５５に存在する冷感剤８０がトップシート２の肌面側Ｔ１へ移動することをバックシート４により阻害される。これにより、吸収性物品１の使用前に冷感効果が低減することを抑制でき、着用者が冷たさを感じ易くできる。
【００５８】
（３）変更例
次に、変更例に係る吸収性物品１について説明する。変更例に係る吸収性物品１は、中間シートを有してよい。中央域Ｓ３において、中間シートには、中間シートを厚さ方向Ｔに貫通しかつ６００ｍｍ2以上の面積を有する中間開口が設けられてよい。開口５０は、厚さ方向Ｔにおいて中間開口と重ならない領域に設けられる。これにより、排泄物が排出された場合、中間シートの中間開口に排泄物が溜まりやすい。一方で、開口は、中間開口と重ならない領域に設けられるため、開口５０の壁面５５に存在する冷感剤８０が、中間開口に溜まった排泄物に阻害されずに開口から移動し易くできる。これにより、排泄後においても、着用者が冷たさを感じ易くできる。
【００５９】
吸収性物品１の平面視において、中間開口は、前後方向Ｌに延びる楕円形状であってよいし、幅方向Ｗに延びる楕円形状であってよい。中間開口は、吸収性物品１の前後方向Ｌの中心と重なる位置に設けられてよい。なお、開口５０は、厚さ方向Ｔにおいて中間開口と重なる領域に設けられてよい。これにより、排泄物が排出される前に、中間開口と重なる領域に設けられた開口５０の壁面５５に存在する冷感剤８０により、着用者が冷たさを感じ易くできる。
【００６０】
（４）その他実施形態
以上、本考案の実施形態について説明したが、上記の実施形態は、本考案の理解を容易にするためのものであり、本考案を限定して解釈するためのものではない。また、本考案は、その趣旨を逸脱することなく、変更や改良され得るとともに、本考案にはその等価物が含まれるのはいうまでもない。例えば、以下に示すような変形が可能である。
【００６１】
上述の実施形態においては、トップシート２として疎水性の熱可塑性の合成樹脂フィルムを用いたが、これに限られない。例えば、不織布等の親水性のシート部材を用いてもよい。
【００６２】
上述の実施形態においては、吸収コア１１と吸収性ポリマーシート１２とを厚さ方向Ｔに重ねた吸収体１０を用いたが、これに限られない。例えば、吸収コア１１のみによって吸収体１０が構成されてよい。吸収性物品１が、中間シートを有さない場合、トップシート２は、厚さ方向Ｔにおいて吸収コア１１に隣接してよい。
【００６３】
上述の実施形態では、セカンドシート３が中間シートであったが、これに限られない。吸収体１０は、吸収コア１１を厚さ方向Ｔおいて挟むコアラップシートを有してよい。コアラップシートのうち、吸収コア１１よりも肌面側Ｔ１に配置されているシートが中間シートであってよい。この場合、セカンドシート３をコアラップシートに置き換えることが可能であることに留意すべきである。また、吸収性物品１は、セカンドシート３とコアラップシートとを有してよい。
【００６４】
上述の実施形態では、曲げ誘導部７０として、圧搾部を挙げていたが、これに限られない。曲げ誘導部７０は、曲げ誘導部７０は、例えば、吸収コア１１を貫通するスリットが形成さえることにより設けられてよいし、吸収コア１１の目付を周囲よりも低くすることにより設けられてよい。
【００６５】
上述の実施形態及び各変更例に係る吸収性物品１に係る構成は、適宜組み合わせることが可能である。また、上述したように、吸収性物品１を例に挙げて説明したが、吸収性物品であればよく、吸収性物品１を吸収性物品に置き換えることが可能であることに留意すべきである。
【符号の説明】
【００６６】
１      ：吸収性物品
２      ：トップシート
４      ：バックシート
１１    ：吸収コア
５０    ：開口
５５    ：壁面
５６    ：突出部
７０    ：曲げ誘導部
７５    ：圧搾部
８０    ：冷感剤
ＣＲ    ：コア領域
ＦＬ    ：折り目
ＦＬ１  ：目
ＦＬ２  ：目
Ｌ      ：前後方向
Ｓ１    ：前側域
Ｓ２    ：後側域
Ｓ３    ：中央域
Ｔ      ：厚さ方向
Ｔ１    ：肌面側
Ｔ２    ：非肌面側
Ｗ      ：幅方向
【図１】
0003227667.tif 000003
【図２】
0003227667.tif 000004
【図３】
0003227667.tif 000005
【図４】
0003227667.tif 000006
【図５】
0003227667.tif 000007
【図６】
0003227667.tif 000008